(57)【特許請求の範囲】
【請求項１】
少なくとも壁面と対向する鉛直部を有するケース本体と、このケース本体の内部に設けられた光源と、前記ケース本体に設けられ前記光源からの光を透過する照明カバーとを備える照明器具であって、
前記ケース本体は、前記壁面に当接される前記鉛直部と、この鉛直部から離れる方向に延びる水平部と、この水平部の先端側が下方に折り曲げられた部分とを有し、これら各部に囲まれたスペースが当該ケース本体における前記壁面寄りの位置に形成されており、
前記鉛直部の下端には、前記壁面から離れる方向に折り曲げられかつその先端を上方に折り曲げて形成されるとともに、小物が配置される小物ラックが係合される係合部が形成され、この係合部が前記スペースに臨んで配置されていることを特徴とする照明器具。
【請求項２】
請求項１に記載の照明器具において、前記照明カバーは、前記ケース本体の底面側に設けられるとともに、前記壁面側に向かって下がる傾斜を有して配置されていることを特徴とする照明器具。
【請求項３】
請求項１または２に記載の照明器具において、前記ケース本体は、略水平方向に延びる長尺状に形成され、前記係合部は、前記ケース本体に沿って連続して設けられていることを特徴とする照明器具。
【請求項４】
請求項１から３のいずれかに記載の照明器具において、前記ケース本体には、前記スペースの上側に位置する水平部に形成されて当該スペースに開口するとともに、前記係合部よりも上方に位置する通気孔が設けられていることを特徴とする照明器具。
【請求項５】
請求項１から４のいずれかに記載の照明器具において、前記ケース本体は、吊戸棚の底版に固定される上面部を有して形成されていることを特徴とする照明器具。
【発明の詳細な説明】
【０００１】
【発明の属する技術分野】
本発明は、小物ラックを一体的に取り付け可能な照明器具に関する。
【０００２】
【背景技術】
壁面に沿って設けられた流し台と、この流し台の上方に位置する吊り戸棚とを備えたキッチンが知られている。このキッチンでは、吊り戸棚の下面でかつ壁面に沿って照明器具が設けられることがある。このような照明器具は、例えば、ケース本体と、ケース本体内部に設けられた蛍光灯等の光源と、ケース本体に設けられ光源からの光を透過する照明カバーとを含んで構成される（特開平５−３１４８０４号公報）。一方、照明器具と流し台との間の壁面には、調味料等の小物が配置される小物ラックがプラスチック製の吸盤等で取り付けられる場合がある。
【０００３】
【発明が解決しようとする課題】
しかし、そのようなキッチンでは、家事作業で発生する蒸気や油分が小物ラックやプラスチック製の吸盤にかかるため、プラスチック製の吸盤が経時劣化を起こし小物ラックが脱落するおそれがあった。さらに、プラスチック製の吸盤などでは、その取り付け強度に限度があり、あまり大きな小物ラックは取り付けることができなかった。また、壁面の構成が複雑となり見た目も悪い上に、小物ラックや壁面の清掃にも手間がかかっていた。
【０００４】
本発明は、小物ラックを一体的に取り付けることで、小物ラックが脱落するおそれが無く、外観も良好な照明器具を提供することを目的とする。
【０００５】
【課題を解決するための手段】
そのため、請求項１に記載された本発明の照明器具は、図面を参照して説明すると、少なくとも壁面３１と対向する鉛直部１１Ｃを有するケース本体１１と、このケース本体の内部に設けられた光源１３と、前記ケース本体に設けられ前記光源からの光を透過する照明カバー１２とを備える照明器具１０であって、前記ケース本体は、前記壁面に当接される前記鉛直部と、この鉛直部から離れる方向に延びる水平部と、この水平部の先端側が下方に折り曲げられた部分とを有し、これら各部に囲まれたスペースが当該ケース本体における前記壁面寄りの位置に形成されており、前記鉛直部の下端には、前記壁面から離れる方向に折り曲げられかつその先端を上方に折り曲げて形成されるとともに、小物が配置される小物ラック２０が係合される係合部１４が形成され、この係合部が前記スペースに臨んで配置されていることを特徴とする。
【０００６】
以上の構成を備える本発明では、小物ラックが照明器具の係合部に係合されているので、脱落するおそれがなく確実に取り付けられ、小物ラックの大きさや重量を大きくすることもできる。また、小物ラックは、壁面に直接吸盤等で取り付けられていないので、壁面の外観が良好になるとともに清掃が容易にできる。
【０００７】
また、スペースＳに前記係合部１４が臨んで配置されているので、小物ラック２０を壁面に沿って配置することができ利用しやすいとともに、係合部が照明器具の表面側に表れず、良好な外観が得られる。
さらに、前記照明カバーは、前記ケース本体の底面側に設けられるとともに、前記壁面側に向かって下がる傾斜を有して配置されていることが好ましい。
【０００８】
また、前記ケース本体１１は、略水平方向に延びる長尺状に形成され、前記係合部１４は、前記ケース本体に沿って連続して設けられていることが好ましい。
このようにすれば、小物ラック２０を壁面３１に沿って自由な位置に配置することができ、キッチンを利用する上での利便性を向上できる。
【０００９】
また、前記ケース本体１１には、前記スペースＳの上側に位置する水平部に形成されて当該スペースに開口するとともに、前記係合部よりも上方に位置する通気孔１６が設けられていることが好ましい。
このようにすれば、本体ケース内部の光源１３から発せられる熱を、通気孔からケース本体の外へ逃がすことができるので、照明器具の放熱効果が高まるとともに、通気孔が表面側に表れず良好な外観が得られる。
【００１０】
また、前記ケース本体１１は、吊戸棚の底版に固定される上面部を有して形成されていることが好ましい。
このようにすれば、本体ケースを形成する部材の軽量化を図りつつ、照明器具の強度と剛性を高めることができ、取り付け作業が行い易いとともに光源や照明カバーを確実に支持することができる。
【００１３】
【発明の実施の形態】
以下、本発明の実施形態を図面に基づいて説明する。図１〜図５に、第一実施形態の照明器具について示し、図６〜図１０にそれぞれ、第二〜六実施形態の照明器具について示す。各実施形態において同一構成要素は同一符号とし説明を省略あるいは簡略化する。
【００１４】
まず、第一実施形態について説明する。
図１、図２には、第一実施形態の照明器具１０が取り付けられたキッチンが示されている。図１、図２において、床面１と天井面２との間の壁３に面して、流し台４、吊戸棚５、レンジ台６、レンジフード６２および照明器具１０が設置されている。
壁３には、仕上げ材としてのタイル３３が貼られた壁面３１が形成されている。このタイル３３は、構造体としての躯体３２の表面に形成された下地材３３Ａに貼り付けられている。
【００１５】
流し台４は、その上面の一方に調理を行うための天板４１が形成され、他方に水仕事を行うためのシンク４２が形成されている。シンク４２の上部には、蛇口を備えた水栓４２Ａが設けられる。
吊戸棚５は、流し台４の上方で、天井面２に接して設置されている。吊戸棚５は、その内部を収納部５１とされ、前面側に開閉扉５２を備え、下部を底板５３で形成される。
【００１６】
レンジ台６は、流し台４と隣接して設置され、その上面に加熱調理を行うためのレンジ６１を備える。レンジ台６の上方で吊戸棚５に隣接して、換気扇を覆うレンジフード６２が天井面２に接して設置されている。
流し台４およびレンジ台６の下部は、その内部を収納部４３として利用される。この収納部４３は、前面側に開閉扉４３Ａを備え、下部を底板４３Ｂで形成される。
【００１７】
照明器具１０は、流し台４の上方で、壁３の壁面３１と吊戸棚５の底板５３とに接して取り付けられている。壁面３１に沿って照明器具１０の下方には、小物ラック２０が吊り下げられ、調味料や調理器具などが置かれて利用されている。小物ラック２０は、照明器具１０の長手方向に沿って移動可能に設置されるが、必要に応じて取り外すことも可能とされている。
【００１８】
図３には、第一実施形態の照明器具１０の全体の斜視図が示されている。図３において、照明器具１０は、ケース本体１１と、このケース本体１１の下面に取り付けられる照明カバー１２と、後述する図４に示す係合部１４に係合される小物ラック２０とを備えている。ケース本体１１の前面には、この照明器具１０の電源を操作するスイッチ１１Ａと、他の電気器具を繋げて使用するためのコンセント１１Ｂとが配置されている。
【００１９】
図４には、第一実施形態の照明器具１０の断面図が示されている。図４において、照明器具１０は、その内部に光源である蛍光灯１３を備え、壁面３１に近い位置に係合部１４を有し、この係合部１４に小物ラック２０が吊り下げられている。
蛍光灯１３は、電源端子を備えた取付部１３Ａに取り付けられる。この取付部１３Ａは、ケース本体１１にねじ止め等により固定されている。
小物ラック２０は、ラック本体２１と脱落防止部２２との２つの部材で構成されている。
【００２０】
ラック本体２１は、金属の板材を折り曲げ加工し断面略Ｌ字形に形成され、その底辺部分は上面に小物類を載置する載置部２１Ｄとされ、壁面３１に沿って略鉛直方向に延びる部分は荷重を支持する支持部２１Ｂとされている。支持部２１Ｂの上端には、ケース本体１１の係合部１４と係合される係合部２１Ａがカーリングにより形成され、支持部２１Ｂの左右両端には、折曲部２１Ｃが折り曲げ加工により形成されている。
脱落防止部２２は、金属棒材を曲げ加工して形成され、ラック本体２１の支持部２１Ｂと載置部２１Ｄとを連結して設置される。
【００２１】
図５には、小物ラック２０を除いた第一実施形態の照明器具１０の断面図が示されている。図５において、ケース本体１１は、全体として、その前面と背面とを上底と下底とする略台形状の断面形状をなし、その下面は照明カバー１２を取り付けるために開口されている。
【００２２】
ケース本体１１は、それぞれ照明器具１０の長手方向に延びる第１部材１１１、第２部材１１２、第３部材１１３、第４部材１１４の４部材から構成されており、各々の部材は金属板材の折り曲げ加工により形成され、ビス止め等により組み合わせられている。金属板材としては、予め板表面に光の反射率の高い色（例えば、グレーメタリック色）の印刷が施された鋼板（プレコート鋼板）が用いられる。
【００２３】
第１部材１１１は、照明器具１０の前面側を形成する部材で、その前面部には前述のスイッチ１１Ａやコンセント１１Ｂが取り付けられる。
第２部材１１２は、照明器具１０の上面に配置される部材で、ビス孔が設けられ吊戸棚５の底板５３にビス止めされる。
第３部材１１３は、照明器具１０の背面を形成する部材で、壁面に当接される鉛直部１１Ｃを有し、その下部に小物ラック２０を係合する係合部１４が形成されている。係合部１４は、壁面３１と第４部材１１４との間のスペースＳに臨むように、第３部材の鉛直部１１Ｃの下端を鉤爪状に折り曲げて形成される。
【００２４】
第４部材１１４は、第３部材１１３と並べて配置され、その高さの概中央より上部を鉛直部１１Ｃに密接し、概中央部で折り曲げられて水平部が形成され、その下部は壁面と距離をあけて配置されている。この第３部材１１３（壁面３１）と第４部材１１４との間のスペースＳに開口して、通気孔１６が第４部材１１４の水平部を上下に貫通して設けられている。
第１部材１１１と第４部材１１４とは、照明器具１０の下面の前後部分を形成し、照明カバー１２の幅寸法だけ離れて互いに対向するように、内側に向かって略直角に折り曲げられる。この内側に折り曲げられた端部には、ヘミング加工が施され、照明カバー１２が係止される係止部１１Ｄとされる。
【００２５】
照明カバー１２は、透明あるいは半透明のアクリル製の板材で、蛍光灯１３からの光を透過する平板状の透過部１２Ａと、コ字形に折り曲げられた先端の係止爪１２Ｂとを備える。照明カバー１２は、その係止爪１２Ｂをケース本体１１の第１部材１１１および第４部材１１４の係止部１１Ｄに、係止させることでケース本体１１に固定される。
【００２６】
従って、第一実施形態の構成によれば以下の効果が得られる。
(１)小物ラック２０が照明器具１０の係合部１４に係合されているので、脱落するおそれがなく確実に取り付けられ、小物ラック２０の大きさや重量を大きくすることもできる。
(２)小物ラック２０は、壁面３１に直接吸盤等で取り付けられていないので、壁面３１の外観が良好になるとともに清掃が容易にできる。
(３)ケース本体１１の背面側には、鉛直部１１Ｃが設けられ、この鉛直部１１Ｃを壁面に接することができるので、照明器具１０の設置が行い易い。
【００２７】
(４)ケース本体１１の第４部材１１４を壁面３１から離して配置し、そのスペースＳに臨んで係合部１４が設けられているので、小物ラック２０を壁面３１に沿って配置することができ利用しやすいとともに、係合部１４が照明器具１０の表面側に表れず、良好な外観が得られる。
(５)係合部１４が照明器具１０の長手方向に沿って設けられているので、小物ラック２０を壁面に沿って自由な位置に配置することができ、キッチンを利用する上での利便性を向上できる。
【００２８】
(６)ケース本体１１の内部の蛍光灯１３が発する熱を、通気孔１６からケース本体１１の外へ逃がすことができるので、照明器具１０の放熱効果が高まるとともに、通気孔１６をスペースＳに臨んで開口したので、照明器具１０の表面側に表れず良好な外観が得られる。
(７)ケース本体１１の板材表面に光の反射率の高い色が施されているので、光を反射することができ、別途反射板を必要としないので、コストの低減と軽量化を図ることができる。
【００２９】
次に、第二実施形態について説明する。
図６には、本発明の第二実施形態の照明器具から小物ラックが省略された断面図が示されている。図６において、照明器具１０Ａは、第一実施形態の照明器具１０と同様に、その外殻をケース本体１１と照明カバー１２とで形成されるが、内部に蛍光灯１３以外に補強板１５と反射板１７とを備える。ケース本体１１、照明カバー１２および小物ラック２０の材料、部材構成および加工方法は第一実施形態の場合と同じである。
【００３０】
ケース本体１１の内部に設けられる補強板１５は、照明器具１０Ａの長手方向に沿った断面略コ字形の長尺部材で、金属板材を折り曲げ加工して形成されている。補強板１５は、そのコ字形断面の開口部を下にして、上面をケース本体１１の第２部材１１２の下面に当接し、他の二面もそれぞれ第１部材１１１および第３部材１１３に当接して配置される。補強板１５は、ケース本体１１の背面側から第４部材１１４および第３部材１１３を通して、ビス止め等されることでケース本体１１に一体に取り付けられる。
反射板１７は、明色塗装が施された金属板材を曲げ加工し、蛍光灯１３の上部を覆う形で配置され、取付部１３Ａに取り付けられる。
【００３１】
従って、第二実施形態の構成によれば、第一実施形態の(１)〜(６)の効果に合わせて、以下の効果が得られる。
(８)ケース本体１１内部に補強板を設けたので、本体ケース１１を形成する部材の軽量化を図りつつ、照明器具１０Ａの強度と剛性を確保することができ、照明器具１０Ａの取り付け作業が行い易いとともに蛍光灯１３や照明カバー１２を確実に支持することができる。
(９)蛍光灯１３の上部を覆って反射板１７を設けたので、照明器具１０Ａの機能である、物を照らす際の照度を高めることができる。
【００３２】
次に、第三実施形態について説明する。
図７には、本発明の第三実施形態の照明器具から小物ラックが省略された断面図が示されている。図７において、照明器具１０Ｂは、第一実施形態の照明器具１０と同様に、その外殻をケース本体１１と照明カバー７１とで形成されるが、この照明カバー７１の形状および取付方法が第一実施形態の照明カバー１２と異なる。ケース本体１１および小物ラック２０の材料、部材構成および加工方法は第一実施形態の場合と同じである。
【００３３】
照明カバー７１は、直板状のアクリル板で、内側面に波状加工が施された光の透過部７１Ａと、両端部の係止爪７１Ｂとを備えて形成される。
ケース本体１１の下面側開口では、第１部材１１１および第４部材１１４の端部に断面略コ字形の係止部７２が設けられている。第４部材１１４側の係止部７２の中には、所定の間隔で板ばね７３が取り付けられている。
【００３４】
照明カバー７１の取り付けは、第４部材１１４側の係止部７２に照明カバー７１の係止爪７１Ｂを挿入し、板ばね７３を押し下げながら反対側の係止爪７１Ｂを、第１部材１１１側の係止部７２に挿入することで行われる。その際、板ばね７３の作用で照明カバー７１が第１部材１１１側に押し上げられ、係止部７２から係止爪７１Ｂが容易に外れなくされている。
また、第三実施形態では、ケース本体１１の第４部材１１４の水平部よりも下側で、鉛直部１１Ｃと対向する面に通気孔１６を設ける。
【００３５】
従って、第三実施形態の構成によれば、第一実施形態の(１)〜(７)の効果に合わせて、以下の効果が得られる。
(10)照明カバー７１を取り付ける係止部７２に板ばね７３を設置したので、照明カバー７１を取り付け易く、また、外れ難くすることができる。
(11)照明カバー７１の透過部７１Ａには、内側面に波状加工が施されているので、蛍光灯１３からの光が拡散されて柔らかい照明効果が得られる。
(12)通気孔１６を鉛直部１１Ｃと対向する面に設けたので、通気孔１６を通して蛍光灯の光が外部に反射して、照明器具１０Ｂの直下の壁側を照らすことで、間接照明の効果が得られる。
【００３６】
次に、第四実施形態について説明する。
図８には、本発明の第四実施形態の照明器具から小物ラックが省略された断面図が示されている。図８において、照明器具１０Ｃは、その外殻をケース本体１１と照明カバー８１とで形成される。ケース本体１１の第４部材８３と照明カバー８１との形状および取付方法が第一実施形態の場合と異なる。それら以外のケース本体１１および小物ラック２０の材料、部材構成および加工方法は第一実施形態の場合と同様である。
【００３７】
照明カバー８１は、断面略Ｌ字形のアクリル板で、半透明の光の透過部８１Ａと、係合膨部８１Ｂと、係止爪８１Ｃとを備える。
ケース本体１１の第４部材８３は、断面コ字形の部材で、第３部材１１３の鉛直部１１Ｃにビス止めされている。第４部材８３には、照明カバー８１の係合膨部８１Ｂを係合する係合溝８３Ａが設けられている。また、第１部材１１１の下面側先端部には、断面略コ字形の係止部８２が設けられている。
【００３８】
照明カバー８１の取り付けは、透過部８１Ａがほぼ水平な状態で係合膨部８１Ｂを第４部材８３の係合溝８３Ａに挿入し、係合膨部８１Ｂが外れないように照明カバー８１を持ち上げ、係止爪８１Ｃを第１部材１１１の係止部８２に挿入することで行われる。この状態で係止部８２は、係止爪８１Ｃを挟み込むので、照明カバー８１は容易に外れなくされている。
【００３９】
従って、第四実施形態の構成によれば、第一実施形態の(１)〜(５)および(７)の効果に合わせて、以下の効果が得られる。
(13)照明カバー８１は、断面略Ｌ字形のアクリル板で一体形成され、一部材から製造できるので低コストで製造できる。
(14)照明カバー８１は、その係止爪８１Ｃがケース本体１１の係止部８２に挟まれる形で取り付けられるので、容易に開閉可能とすることができ、内部の清掃や蛍光灯１３の交換が行い易い。
(15)照明カバー８１は、断面Ｌ字形としたので、照明器具１０Ｃの直下の壁側を照らすことができ、小物ラック２０に置いた小物が見やすくなる。
【００４０】
次に、第五実施形態について説明する。
図９には、本発明の第五実施形態の照明器具から小物ラックが省略された断面図が示されている。図９において、照明器具１０Ｄは、第一実施形態の照明器具１０と同様に、その外殻をケース本体１１と照明カバー９１とで形成されるが、この照明カバー９１の形状が第一実施形態の照明カバー１２と異なる。さらに、ケース本体１１の内部に、配線収納部９２を備えている点および、ケース本体１１がリベット９４により組み立てられている点が第一実施形態の照明器具１０とは異なる。なお、蛍光灯１３や係合部１４の構成および小物ラック２０の材料、部材構成および加工方法は第一実施形態の場合と同じである。
【００４１】
照明カバー９１は、断面略コ字状のアクリル板で、内側面に波状加工が施された光の透過部９１Ａと、両端部の係止爪９１Ｂとを備えて形成される。
ケース本体１１の下面側開口では、第１部材１１１および第４部材１１４の端部を内側に向かって略直角に折り曲げた係止部１１Ｄ設けられている。照明カバー９１は、その係止爪９１Ｂを両係止部１１Ｄに係止させることで、ケース本体１１に固定される。
【００４２】
ケース本体１１の内側で蛍光灯１３の上部背面側には、ケース本体１１の長手方向に沿って配線収納部９２が取り付けられている。この配線収納部９２は、板材を折り曲げ加工して形成されたもので、鉛直部１１Ｃに沿った第４部材１１４の内側にリベット９４により固定されている。配線収納部９２の一部には、上方に開いたく字形状が形成されており、このく字形状の上部に複数の電線９３が収納されている。
これらの電線９３は、蛍光灯１３の取付部１３Ａやスイッチ１１Ａ、コンセント１１Ｂ（図３参照）等を互いに、または、それらと電源との間を連結するためのものであり、銅線のより線などに塩化ビニール等の絶縁被覆が施されたものである。
また、配線収納部９２には、ケース本体１１を組み立てるリベット９４に対応した位置に、孔９２Ａが孔設されるとともに、配線収納部９２の表面には光の反射率の高い色の印刷が施されている。
【００４３】
次に、ケース本体１１を吊戸棚５の底板５３に取り付ける方法について説明する。
図９で示す断面位置において、ケース本体１１の上面側には、前述の第一実施形態で説明した第２部材１１２を一部を置き換える形で、取付部板材９５がリベット９４で固定されている。この取付部板材９５は、第１部材１１１等に比較して厚い板材から形成され、係合孔９５Ａを備えている。この係合孔９５Ａは、吊戸棚５の底板５３にビス止め等により固定された、断面略Ｚ字形の取付部材９６に係合される。すなわち、ケース本体１１を取り付ける際、取付部材９６の下方側から下側片９６Ａを係合孔９５Ａに挿通して、ケース本体１１を壁面３１側に横移動することで、取付部板材９５と下側片９６Ａとが係合し、ケース本体１１が吊戸棚５の底板５３に取り付けられる。以上の手順を逆に行えば、ケース本体１１を取り外すことができる。
【００４４】
従って、第五実施形態の構成によれば、第一実施形態の(１)〜(７)の効果および第三実施形態の(11)の効果に合わせて、以下の効果が得られる。
(16)配線収納部９２を本体ケース１１の内部に設けたことで、本体ケース１１内に配線される電線９３を収納でき、電線９３が邪魔にならず、ケース本体１１内を整理された状態にできる。
(17)配線収納部９２は蛍光灯１３に沿って連続しているので、蛍光灯１３から発せられる紫外線を遮断できるため、配線収納部９２で保持する電線９３に紫外線が当たらず、電線９３の被覆材の劣化防止を図ることができる。
(18)配線収納部９２の板材表面に光の反射率の高い色が施されているので、配線収納部９２は光源の光を反射する反射板としての機能も備えるため、別途反射板を必要とせず、部品点数を削減できる。
(19)配線収納部９２には孔９２Ａが孔設され、配線収納部９２の上方位置のリベット９４をかしめる際には、この孔９２Ａから電線９３の位置が確認できるので、電線９３を誤って挟み込んでしまうことがなく、作業を確実に行うことができる。
(20)ケース本体１１は、取付部板材９５の係合孔９５Ａと取付部材９６とを係合することで、簡単に吊戸棚５の底板５３に取り付けられるとともに、取り外しも容易であるので、蛍光灯１３の交換やケース本体１１内部の掃除などが簡単に行え、利便性に優れる。
【００４５】
次に、第六実施形態について説明する。
図１０には、本発明の第六実施形態の照明器具の平面図が示されている。図１０において、平面略Ｌ字形に流し台１４０が配置されたキッチンに、照明器具１０Ｅが設置されている。
この照明器具１０Ｅは、前述の各実施形態の照明器具と同様に、流し台の上部で、壁面１３１と吊戸棚の底板（図示せず）とに接して取り付けられるものであるが、前述の各実施形態とは異なり、そのケース本体１２１が平面略Ｌ字形に連続したものとされている。
ケース本体１２１は、前述の各実施形態のケース本体と同様に構成されたケース本体２本を、それぞれの片側端部を留め加工し、ブラケット（図示せず）を介して略Ｌ字形に連結することで一体に形成されている。このようにして形成されたケース本体１２１を備える照明器具１０Ｅは、前述の各実施形態と同様に、小物ラック２０やそのケース本体１２１の前面に配置されたスイッチ１１Ａとコンセント１１Ｂ等を備えている。
従って、第六実施形態によれば、前述の各実施形態と同様の効果が得られる。
【００４６】
なお、本発明は前述の実施形態に限定されるものではなく、本発明の目的を達成できる範囲での変形、改良等は本発明に含まれるものである。
例えば、前記実施形態では、キッチンの壁面と吊戸棚の下部とに接して設置される照明器具について説明を行ったが、壁面と天井面とに接する設置方法でもよく、設置場所は納戸や収納棚などの中でもよい。壁面は、ケース本体の背面が接するだけの鉛直面を備えていればよいので、垂れ壁形状や窓などが配置されていてもよい。小物ラックは、キッチンペーパーやタオルハンガーあるいは小物入れなどでもよい。
【００４７】
照明器具の形状は、略水平に延びた長尺状としたが、長尺状でなく、略直方体状あるいは略立方体状でもよい。その場合、光源としては白熱電球などの略球形の物を使用することが可能である。
また、小物ラックは金属棒状部材を鉤爪状に曲げて形成してもよく、その場合、鉤爪の先端にオタマやフライパン返しなどの柄の部分の穴を引っ掛けて吊り下げることが可能となる。
【００４８】
使用材料について、ケース本体はプレコート鋼板としたが、通常の鋼板でもよく、アルミ製や樹脂製でもよい。照明カバーはアクリル板としたが、ポリカーボネート板やプラスチック板でもよい。
ケース本体は４つの部材を組み合わせて形成することとしたが、部材数にはこだわらないため、１つの部材で一体成型してもよく、また、組み合わせる際にビス止めとしたが、リベット止めでもよく、スポット溶接で止めてもよい。
【００４９】
【発明の効果】
このような本発明によれば、以下の効果が得られる。
請求項１の発明により、小物ラックが照明器具の係合部に係合されているので、容易に脱落するおそれがなく確実に取り付けられ、小物ラックの大きさや重量を大きくすることもできる。また、小物ラックは、壁面に直接吸盤等で取り付けられていないので、壁面の外観が良好になるとともに清掃が容易にできる。
請求項２の発明により、小物ラックを壁面に沿って配置することができ利用しやすいとともに、係合部が照明器具の表面側に表れず、良好な外観が得られる。
【００５０】
請求項３の発明により、小物ラックを壁面に沿って自由な位置に配置することができ、キッチンを利用する上での利便性を向上できる。
請求項４の発明により、本体ケース内部の光源から発せられる熱を、通気孔から本体ケースの外へ逃がすことができるので、照明器具の放熱効果が高まるとともに、通気孔が表面側に表れず良好な外観が得られる。
【００５１】
請求項５の発明により、本体ケースを形成する部材の軽量化を図りつつ、照明器具の強度と剛性を高めることができ、取り付け作業が行い易いとともに光源や照明カバーを確実に支持することができる。
請求項６の発明により、本体ケース内部表面で光を反射することができ、別途反射板を必要としないので、照明器具としての性能を低下せずに、コストの低減と軽量化を図ることができる。
【００５２】
請求項７の発明により、配線収納部により本体ケース内部に配線される電線を収納できるので、ケース本体内部が整理される。また、配線収納部はケース本体の長手方向に沿って、すなわち、光源に蛍光灯を用いる場合には、この蛍光灯に沿って連続しているので、蛍光灯から発せられる紫外線を遮断できるので、電線の被覆材の劣化の防止を図ることができる。
【図面の簡単な説明】
【図１】本発明の第一実施形態の照明器具が取り付けられたキッチンの正面図。
【図２】前記実施形態の照明器具が取り付けられたキッチンの断面図。
【図３】前記実施形態の照明器具の全体斜視図。
【図４】前記実施形態の照明器具の断面図。
【図５】前記実施形態の照明器具の要部断面図。
【図６】本発明の第二実施形態の照明器具の要部断面図。
【図７】本発明の第三実施形態の照明器具の要部断面図。
【図８】本発明の第四実施形態の照明器具の要部断面図。
【図９】本発明の第五実施形態の照明器具の要部断面図。
【図１０】本発明の第六実施形態の照明器具が取り付けられたキッチンの平面図。
【符号の説明】
１０      照明器具
１１      ケース本体
１１Ｃ    鉛直部
１２      照明カバー
１３      蛍光灯（光源）
１４      係合部
１５      補強板
１６      通気孔
２０      小物ラック
３１      壁面
９２      配線収納部
９３      電線
Ｓ        スペース
【図１】
0004092108.tif 000002
【図２】
0004092108.tif 000003
【図３】
0004092108.tif 000004
【図４】
0004092108.tif 000005
【図５】
0004092108.tif 000006
【図６】
0004092108.tif 000007
【図７】
0004092108.tif 000008
【図８】
0004092108.tif 000009
【図９】
0004092108.tif 000010
【図１０】
0004092108.tif 000011